【手続補正書】
【提出日】平成18年12月11日(2006.12.11)
【手続補正１】
【補正対象書類名】明細書
【補正対象項目名】特許請求の範囲
【補正方法】変更
【補正の内容】
【特許請求の範囲】
【請求項１】  単離されたポリヌクレオチドであって、以下：
（ａ）配列番号１のヌクレオチド２５６〜ヌクレオチド１４０４のヌクレオチド配列；
（ｂ）配列番号３のヌクレオチド１０３〜ヌクレオチド１２４２のヌクレオチド配列；
（ｃ）遺伝子コードの縮重の結果として、（ａ）または（ｂ）にて特定されるヌクレオチド配列の配列から変化する、ヌクレオチド配列；
（ｄ）（ａ）または（ｂ）にて特定されるヌクレオチドにストリンジェントな条件下でハイブリダイズし得る、ヌクレオチド配列；
（ｅ）（ａ）または（ｂ）にて特定される配列の種ホモログをコードする、ヌクレオチド配列；および
（ｆ）（ａ）または（ｂ）にて特定されるヌクレオチド配列の、対立遺伝子改変体、
からなる群より選択されるヌクレオチド配列を含む、ポリヌクレオチド。
【請求項２】  請求項１に記載のポリヌクレオチドであって、前記ヌクレオチド配列が、ＩＬ−１３Ｒ結合鎖の生物学的活性を有するタンパク質をコードする、ポリヌクレオチド。
【請求項３】  請求項１に記載のポリヌクレオチドであって、前記ヌクレオチド配列が、発現制御配列に作動可能に連結された、ポリヌクレオチド。
【請求項４】  請求項１に記載のポリヌクレオチドであって、配列番号１のヌクレオチド３１９〜ヌクレオチド１２５７のヌクレオチド配列を含む、ポリヌクレオチド。
【請求項５】  請求項１に記載のポリヌクレオチドであって、配列番号１のヌクレオチド１３２４〜ヌクレオチド１４０４のヌクレオチド配列を含む、ポリヌクレオチド。
【請求項６】  請求項１に記載のポリヌクレオチドであって、配列番号３のヌクレオチド１７８〜ヌクレオチド１１２５のヌクレオチド配列を含む、ポリヌクレオチド。
【請求項７】  請求項１に記載のポリヌクレオチドであって、配列番号３のヌクレオチド１１８９〜ヌクレオチド１２４２のヌクレオチド配列を含む、ポリヌクレオチド。
【請求項８】  請求項３に記載のポリヌクレオチドで形質転換された、宿主細胞。
【請求項９】  前記細胞が哺乳動物細胞である、請求項８に記載の宿主細胞。
【請求項１０】  ＩＬ−１３ｂｃタンパク質を産生するためのプロセスであって、該プロセスは、
（ａ）請求項８に記載の宿主細胞の培養物を適切な培養培地中で増殖させる工程；および
（ｂ）該培養物から該ＩＬ−１３ｂｃタンパク質を精製する工程、
を包含する、プロセス。
【請求項１１】  単離されたＩＬ−１３ｂｃタンパク質であって、以下：
（ａ）配列番号２のアミノ酸配列；
（ｂ）配列番号２のアミノ酸２２〜３３４のアミノ酸配列；
（ｃ）配列番号２のアミノ酸３５７〜３８３のアミノ酸配列：
（ｄ）配列番号４のアミノ酸配列；
（ｅ）配列番号４のアミノ酸２６〜３４１のアミノ酸配列；
（ｆ）配列番号４のアミノ酸３６３〜３８０のアミノ酸配列：および
（ｇ）ＩＬ−１３レセプター結合鎖の生物学的活性を有する、（ａ）〜（ｆ）のフラグメント、
からなる群より選択されるアミノ酸配列を含む、タンパク質。
【請求項１２】  配列番号２のアミノ酸配列を含む、請求項１１に記載のタンパク質。
【請求項１３】  配列番号２のアミノ酸２２〜３３４の配列を含む、請求項１１に記載のタンパク質。
【請求項１４】  配列番号４のアミノ酸配列を含む、請求項１１に記載のタンパク質。
【請求項１５】  配列番号４のアミノ酸２６〜３４１の配列を含む、請求項１１に記載のタンパク質。
【請求項１６】  請求項１１に記載のタンパク質および薬学的に受容可能なキャリアを含む、薬学的組成物。
【請求項１７】  請求項１０に記載のプロセスに従って産生された、タンパク質。
【請求項１８】  請求項１１に記載のタンパク質と特異的に反応する抗体を含む、組成物。
【請求項１９】  ＩＬ−１３レセプターへのＩＬ−１３の結合のインヒビターを同定する方法であって、以下：
（ａ）請求項１１に記載のタンパク質をＩＬ−１３またはそのフラグメントと合わせる工程であって、該組合せが第１の結合混合物を形成する、工程；
（ｂ）該タンパク質と該ＩＬ−１３またはフラグメントとの間の結合の量を該第１の結合混合物において測定する工程；
（ｃ）化合物を該タンパク質および該ＩＬ−１３またはフラグメントと合わせて、第２の結合混合物を形成する工程；
（ｄ）該第２の結合混合物における結合の量を測定する工程；ならびに
（ｅ）該第１の結合混合物中の結合の量を該第２の結合混合物中の結合の量と比較する工程、
を包含し、該第２の結合混合物の結合の量の減少が生じる場合に、該化合物がＩＬ−１３レセプターへのＩＬ−１３の結合を阻害し得る、方法。
【請求項２０】  請求項１９に記載の方法によって同定される、インヒビター。
【請求項２１】  請求項２０に記載のインヒビターおよび薬学的に受容可能なキャリアを含む、薬学的組成物。
【請求項２２】  哺乳動物被験体においてＩＬ−１３レセプターへのＩＬ−１３の結合を阻害する方法であって、該方法は、請求項２１に記載の組成物の治療的に有効な量を投与する工程を包含する、方法。
【請求項２３】  哺乳動物被験体においてＩＬ−１３レセプターへのＩＬ−１３の結合を阻害する方法であって、該方法は、請求項１６に記載の組成物の治療的に有効な量を投与する工程を包含する、方法。
【請求項２４】  哺乳動物被験体においてＩＬ−１３レセプターへのＩＬ−１３の結合を阻害する方法であって、該方法は、請求項１８に記載の組成物の治療的に有効な量を投与する工程を包含する、方法。
【請求項２５】  単離されたポリヌクレオチドであって、以下：
（ａ）配列番号２のアミノ酸配列；
（ｂ）配列番号２のアミノ酸２２〜３３４のアミノ酸配列；
（ｃ）配列番号２のアミノ酸３５７〜３８３のアミノ酸配列；
（ｄ）配列番号４のアミノ酸配列；
（ｅ）配列番号４のアミノ酸２６〜３４１のアミノ酸配列；
（ｆ）配列番号４のアミノ酸３６３〜３８０のアミノ酸配列；および
（ｇ）ＩＬ−１３レセプター結合鎖の生物学的活性を有する、（ａ）〜（ｆ）のフラグメント、
からなる群より選択されるアミノ酸配列を含むペプチドまたはタンパク質をコードするヌクレオチド配列を含む、ポリヌクレオチド。
【請求項２６】  前記アミノ酸配列が融合タンパク質の一部である、請求項１１に記載のタンパク質。
【請求項２７】  Ｆｃフラグメントを含む、請求項２６に記載のタンパク質。
【請求項２８】  治療的に有効な量で、哺乳動物被験体におけるＩＬ−１３に関連する状態を処置するための、請求項１６に記載の組成物。
【請求項２９】  前記状態がＩｇＥに媒介される状態である、請求項２８に記載の組成物。
【請求項３０】  請求項２９に記載の組成物であって、前記状態が、アトピー、アレルギー性状態、喘息、および免疫複合体病からなる群より選択される、組成物。
【請求項３１】  請求項３０に記載の組成物であって、前記状態が、狼瘡、腎炎、甲状腺炎、およびグレーヴズ病からなる群より選択される、組成物。
【請求項３２】  ＩＬ−１３活性を増強するための組成物であって、該組成物は、ＩＬ−１３活性を有するタンパク質を、請求項１１に記載のタンパク質と組み合わせて含み、ここで該組成物は、ＩＬ−１３ｂｃ以外のＩＬ−１３Ｒの少なくとも１つの鎖を発現する細胞と接触させるために適している、組成物。
【請求項３３】  請求項３２に記載の組成物であって、前記組成物の治療的に有効な量は、哺乳動物被験体への投与に適している、組成物。
【請求項３４】  配列番号２のアミノ酸１〜３３１のアミノ酸配列を含む、請求項１１に記載のタンパク質。
【請求項３５】  配列番号２のアミノ酸２６〜３３１のアミノ酸配列を含む、請求項１１に記載のタンパク質。
【請求項３６】  配列番号２のアミノ酸１〜３３１のアミノ酸配列を含むペプチドまたはタンパク質をコードする、請求項２５に記載のポリヌクレオチド。
【請求項３７】  配列番号２のアミノ酸２６〜３３１のアミノ酸配列を含むペプチドまたはタンパク質をコードする、請求項２５に記載のポリヌクレオチド。
【請求項３８】  前記状態が肺の炎症状態である、請求項２８に記載の組成物。
【請求項３９】  哺乳動物被験体においてＩＬ−１３に関連する状態を処置するための組成物であって、該組成物は、治療的に有効な量のＩＬ−１３アンタゴニストおよび薬学的に受容可能なキャリアを含む、組成物。
【請求項４０】  前記状態がＩｇＥに媒介される状態である、請求項３９に記載の組成物。
【請求項４１】  請求項４０に記載の組成物であって、前記状態が、アトピー、アレルギー性状態、喘息、および免疫複合体病からなる群より選択される、組成物。
【請求項４２】  請求項４１に記載の組成物であって、前記状態が、狼瘡、腎炎、甲状腺炎、およびグレーヴズ病からなる群より選択される、組成物。
【請求項４３】  請求項３９に記載の組成物であって、前記アンタゴニストが、以下：ＩＬ−１３ｂｃタンパク質、ＩＬ−１３Ｒα１の可溶性形態、ＩＬ−１３に対する抗体または該抗体のＩＬ−１３結合フラグメント、ＩＬ−１３ｂｃに対する抗体または該抗体のＩＬ−１３ｂｃ結合フラグメント、ＩＬ− １３Ｒα１に対する抗体または該抗体のＩＬ−１３Ｒα１結合フラグメント、ＩＬ−４のＩＬ−１３Ｒ結合変異体、ＩＬ−１３ｂｃとのＩＬ−１３の相互作用を阻害し得る低分子、およびＩＬ−１３Ｒα１とのＩＬ−１３の相互作用を阻害し得る低分子からなる群より選択される、組成物。
【請求項４４】  前記ＩＬ−１３ｂｃタンパク質が請求項１１に記載のタンパク質である、請求項４３に記載の組成物。
【請求項４５】  哺乳動物被験体においてＩＬ−１３ｂｃタンパク質とのＩＬ−１３の相互作用を阻害するための組成物であって、該組成物は、治療的に有効な量のＩＬ−１３アンタゴニストおよび薬学的に受容可能なキャリアを含む、組成物。
【請求項４６】  請求項４５に記載の組成物であって、前記アンタゴニストが、以下：ＩＬ−１３ｂｃタンパク質、ＩＬ−１３Ｒα１の可溶性形態、ＩＬ−１３に対する抗体または該抗体のＩＬ−１３結合フラグメント、ＩＬ−１３ｂｃに対する抗体または該抗体のＩＬ−１３ｂｃ結合フラグメント、ＩＬ− １３Ｒα１に対する抗体または該抗体のＩＬ−１３Ｒα１結合フラグメント、ＩＬ−４のＩＬ−１３Ｒ結合変異体、ＩＬ−１３ｂｃとのＩＬ−１３の相互作用を阻害し得る低分子、およびＩＬ−１３Ｒα１とのＩＬ−１３の相互作用を阻害し得る低分子からなる群より選択される、組成物。
【請求項４７】  前記ＩＬ−１３ｂｃタンパク質が請求項１１に記載のタンパク質である、請求項４６に記載の組成物。